(57)【要約】  発光ダイオードのディスプレイ駆動方法が提供される。ドライブ回路により、パルス幅変調（Ｐｕｌｓｅ  Ｗｉｄｔｈ  Ｍｏｄｕｌａｔｉｏｎ）方式の駆動パルスを各々の画素に印加し、前記画素ごとに光の三原色である赤色、青色、緑色が発光される時間を制御することにより、前記画素の輝度を制御できるディスプレイ駆動方法が提供される。
2018525685.tif 000002
【特許請求の範囲】
【請求項１】
発光ダイオード（Ｌｉｇｈｔ  Ｅｍｉｔｔｉｎｇ  Ｄｉｏｄｅ、ＬＥＤ）のディスプレイ駆動方法において、
ドライブ回路により、パルス幅変調（Ｐｕｌｓｅ  Ｗｉｄｔｈ  Ｍｏｄｕｌａｔｉｏｎ）方式の駆動パルスを各々の画素に印加し、前記画素ごとに光の三原色である赤色、青色及び緑色が発光される時間を制御することによって、前記画素の輝度を制御することを特徴とする、ディスプレイ駆動方法。
【請求項２】
前記画素が発光されるリフレッシュ周期（ｒｅｆｒｅｓｈ  ｃｙｃｌｅ）は、複数のレベルから形成されることを特徴とする、請求項１に記載のディスプレイ駆動方法。
【請求項３】
前記各々のリフレッシュ周期内で、前記赤色、緑色、青色各々は、前記レベルのうち最小レベルから最大レベルの中で、いずれか一つのレベルを有することを特徴とする、請求項２に記載のディスプレイ駆動方法。
【請求項４】
前記画素の輝度は、前記リフレッシュ周期内に発光時間に従って発光された、前記赤色、青色、緑色の色組合せによって決定されることを特徴とする、請求項２に記載のディスプレイ駆動方法。
【請求項５】
前記ドライブ回路は、前記最小レベルに該当する時間内にローレベルの信号を印加することにより、前記赤色、青色、緑色が発光される時間を制御することを特徴とする、請求項３に記載のディスプレイ駆動方法。
【請求項６】
前記赤色、青色、緑色に対する発光時間制御は、前記三色を同時に制御するために一つの前記ドライブ回路を利用して行われることを特徴とする、請求項１に記載のディスプレイ駆動方法。
【請求項７】
前記赤色、青色、緑色に対する発光時間制御は、前記三色を各々制御するために３つの前記ドライブ回路を利用して行われることを特徴とする、請求項１に記載のディスプレイ駆動方法。
【請求項８】
前記発光ダイオードは、各々異なる色を発光する層が複数接合された、多重接合構造を有する発光ダイオード（Ｍｕｌｔｉ−Ｊｕｎｃｔｉｏｎ  ＬＥＤ、ＭＪ−ＬＥＤ）であることを特徴とする、請求項１に記載のディスプレイ駆動方法。
【発明の詳細な説明】
【技術分野】
【０００１】
本発明は、発光ダイオードを利用したディスプレイ駆動方法に関し、より詳細には、多重接合構造を有する発光ダイオード（Ｍｕｌｔｉ−Ｊｕｎｃｔｉｏｎ  ＬＥＤ）の発光時間を制御することにより、ディスプレイの色光組合せと輝度を制御できる、ディスプレイ駆動方法に関するものである。
【背景技術】
【０００２】
一般的に、発光ダイオードは、各種装置の表示光源として開発され用いられている。その光源は、直進性を有するという特性をもつと共に、消費電力が小さく、寿命が長いという特徴を有しており、技術発展により高輝度発光ダイオードが製造され使われている。
【０００３】
高輝度発光ダイオードは、フラッシュと類似する携帯用照明及び自転車などの安全表示照明において非常に有効に使われており、このような高輝度発光ダイオードを集約すれば、相当な照度の照明灯として使用できることが公示されている。
【０００４】
前記のような発光ダイオードは、照明用の製品として、学習や読書などの目的のために使われるスタンド装置、照明及び室内外景観用として壁面設置されるムード灯装置、玄関灯、及びセンサー照明灯装置など、幅広く実用化されている。
【０００５】
発光素子の発光ダイオードを駆動する方法としては、電圧制御方式及び電流制御方式などが知られている。このような電圧制御方式や電流制御方式は、発光ダイオードに一定の電圧や電流を印加して、特定の色と明るさの状態を維持するように作用する。
【０００６】
しかし、このような電圧、電流制御方式は、小さな電圧変動によっても電流の変動が大きくなり、輝度変化を誘発し、これはディスプレイ特性を低下させる原因となる。また電流制御方式は、窒化物半導体素子の特性上、効率対比電流が一定ではないため、最大効率を有する電流を使う素子を駆動する場合、効率が再び減少する現象が現れる。
【発明の概要】
【発明が解決しようとする課題】
【０００７】
本発明は、上述した従来技術の問題点を解決するためのものである。すなわち、パルス幅変調制御方式を利用し、発光ダイオードが発光する時間を制御することによって、最高効率に該当する電流でディスプレイを駆動することができ、これを通してディスプレイの効率を最大化することができる、ディスプレイ駆動方法を提供することを目的とする。
【課題を解決するための手段】
【０００８】
前記課題の解決を目的とする本発明は、発光ダイオード（Ｌｉｇｈｔ  Ｅｍｉｔｔｉｎｇ  Ｄｉｏｄｅ、ＬＥＤ）のディスプレイ駆動方法において、ドライブ回路により、パルス幅変調（Ｐｕｌｓｅ  Ｗｉｄｔｈ  Ｍｏｄｕｌａｔｉｏｎ）方式の駆動パルスを各々の画素に印加し、前記画素ごとに光の三原色である赤色、青色、緑色が発光される時間を制御することによって、前記画素の輝度を制御することを特徴とする。
【０００９】
前記画素が発光されるリフレッシュ周期（ｒｅｆｒｅｓｈ  ｃｙｃｌｅ）は、複数のレベルから形成されてもよい。
【００１０】
前記光の三原色各々は、前記レベルのうち最小レベルから最大レベルの中で、いずれか一つのレベルを有することができる。
【００１１】
前記画素の輝度は、前記リフレッシュ周期内に発光時間に従って発光された、前記赤色、青色、緑色の色組合せによって決定されることができる。
【００１２】
前記ドライブ回路は、前記最小レベルに該当する時間内にローレベルの信号を印加することにより、赤色、青色、緑色が発光される時間を制御することができる。
【００１３】
前記赤色、青色、緑色に対する発光時間制御は、前記三色を同時に制御するために一つの前記ドライブ回路を利用して行うことができる。
【００１４】
前記赤色、青色、緑色に対する発光時間制御は、前記三色を各々制御するために３つの前記ドライブ回路を利用して行うことができる。
【００１５】
前記発光ダイオードは、各々異なる色を発光する層が複数接合された、多重接合構造を有する発光ダイオード（Ｍｕｌｔｉ−Ｊｕｎｃｔｉｏｎ  ＬＥＤ、ＭＪ−ＬＥＤ）でありうる。
【発明の効果】
【００１６】
本発明によれば、窒化物半導体で形成された多重接合構造を有する発光ダイオードを、パルス幅変調制御方式を利用して、光の三原色各々が画素により発光される時間を増加または減少させ、各々の画素に対する輝度を制御することにより、従来の電圧、電流制御方式で発生する電流変動による輝度変化を防止することができる。また、最高効率に該当する電流でディスプレイを駆動することが可能になり、ディスプレイの効率を最大化することができる。
【００１７】
本発明の技術的効果は、上記にて言及したものなどに制限されなく、言及されなかった他の技術的効果は、下記により当業者に明確に理解されるべきである。
【図面の簡単な説明】
【００１８】
【図１】本発明の望ましい実施形態に係る多重接合構造を有する発光ダイオードを図示した断面図である。
【図２】本発明のディスプレイ駆動方法の一実施形態に係るパルス幅変調制御方式を説明するための駆動パルス波形図である。
【図３】本発明のディスプレイ駆動方法を実現するドライブ回路の一実施形態を示したブロック図である。
【発明を実施するための最良の形態】
【００１９】
本発明は、多様な変更を加えられることにより、多様な実施形態を有することができるが、特定の実施例を図面に示して詳細に説明する。しかし、これは本発明を特定の実施形態に限定するものではなく、本発明の思想及び技術範囲に含まれるすべての変更、均等物または代替物まで、本発明に含まれるものと理解されなければならない。本発明を説明するにあたり、関連する公示技術についての具体的な説明が、本発明の要旨を不明確にすると判断される場合については、その詳細な説明を省略する。
【００２０】
以下、本発明に係る実施形態について、添付図面を参照しながら詳細に説明する。添付図面を参照して説明するにあたり、同一または対応する構成要素は、同じ番号を付与することによりこれに対する重複する説明は省略する。
【００２１】
図１は、本発明の望ましい実施形態に係る多重接合構造を有する発光ダイオードを図示した断面図である。
【００２２】
図１を参照すると、本発明に係る発光ダイオードは、基板１００上に形成された複数の発光構造体２００を有する。各々の発光構造体２００は、第１ｎ型半導体層２１０、第１発光層２２０、ｐ型半導体層２３０、第２発光層２４０、及び第２ｎ型半導体層２５０を有する。また、各々の発光構造体２００には、電極３１０、３２０、３３０が連結される。形成される電極は、第１ｎ型電極３１０、ｐ型電極３２０、及び第２ｎ型電極３３０で構成される。第１ｎ型電極３１０は第１ｎ型半導体層２１０と電気的に連結され、ｐ型電極３２０はｐ型半導体層２３０と電気的に連結され、第２ｎ型電極３３０は第２ｎ型半導体層２５０と電気的に連結される。特に、ｐ型電極３２０は、発光構造体２００により形成された離隔空間に形成され、ｐ型半導体層２３０の側面と接して形成される。
【００２３】
基板１００上には、第１ｎ型半導体層２１０が形成される。前記基板１００は第１ｎ型半導体層２１０の材質により別に設定されてもよい。例えば第１ｎ型半導体層２１０が窒化ガリウムを含む場合、前記基板１００はサファイア、窒化ガリウムまたは酸化亜鉛を含むことができる。前記第１ｎ型半導体層２１０にはドナーがドーピングされる。ドーピングされるドナーは、第１ｎ型半導体層２１０の材質により決定される。
【００２４】
第１ｎ型半導体層２１０上には、第１発光層２２０が形成される。前記第１発光層２２０は、障壁層と井戸層が交互形成された構造を有することが望ましい。万一、第１ｎ型半導体層２１０が窒化ガリウムを含む場合、前記障壁層は窒化ガリウムを含むことが望ましい。
【００２５】
第１発光層２２０上には、ｐ型半導体層２３０が形成される。ｐ型半導体層２３０にはアクセプターがドーピングされる。ドーピングされるアクセプターは、ｐ型半導体層２３０の材質により多様に選択することができる。
【００２６】
ｐ型半導体層２３０上には、第２発光層２４０が形成される。前記第２発光層２４０は、障壁層と井戸層が交互形成された構造を有し、第１発光層２２０と同じ構成を有してもよい。また、実施形態に従って、前記第２発光層２４０は、第１発光層２２０と異なるバンドギャップエンジニアリングが実行されてもよい。例えば、導入されるインジウムの含有量により、第１発光層２２０は第１カラーの光を形成することができ、第２発光層２４０は第１カラーと異なる第２カラーの光を形成することができる。
【００２７】
第２発光層２４０上には、第２ｎ型半導体層２５０が形成される。前記第２ｎ型半導体層２５０は、第１ｎ型半導体層２１０と同じ造成を有することが望ましい。
【００２８】
前記第１ｎ型半導体層２１０の側面または上部には、第１ｎ型電極３１０が形成される。また、第１ｎ型電極３１０上部には第１パッシベーション層４１０が形成され、第１パッシベーション層４１０上部及びｐ型半導体層２３０の側面にはｐ型電極３２０が形成される。また、ｐ型電極３２０上部には第２パッシベーション層４２０が形成され、第２パッシベーション層４２０の上部または第２ｎ型半導体層の側面には第２ｎ型電極３３０が形成されてもよい。また、実施形態に従って、第２ｎ型電極３３０が第２ｎ型半導体層２５０の側面に形成される場合、前記第２パッシベーション層４２０の最上部表面は第２ｎ型半導体層２５０の表面を上回らないように形成されることが望ましい。
【００２９】
前記図１において、各々の発光構造体２００の第１ｎ型半導体層２１０は、互いに電気的に連結された状態である。従って、第１ｎ型半導体層２１０と電気的に連結される第１ｎ型電極３１０は、各々の発光構造体２００の第１ｎ型半導体層２１０に電気的に連結される。
【００３０】
また、第１パッシベーション層４１０上部に形成されるｐ型電極３２０は、ｐ型半導体層２２０の側面に接する。更に、第２ｎ型電極３３０は第２ｎ型半導体層２５０に電気的に連結される。
【００３１】
従って、前記図１の構造では、多数の発光構造体２００が相互間に並列連結され、ｐ型電極３２０を中心にｎ型電極３１０、３３０に向かって並列連結された構造が形成される。
【００３２】
上記のように多重接合構造を有する発光ダイオード（Ｍｕｌｔｉ−Ｊｕｎｃｔｉｏｎ  ＬＥＤ、ＭＪ−ＬＥＤ）は、限られた発光ダイオードの色相で多様な色相の光を発することができる。限られた発光ダイオードの色相で多様な色相の光を表現するために、光の三原色である赤色、緑色、青色を主に使うことによって、人が感じるすべての色相を表現することができる。
【００３３】
光の三原色を利用して多様な色相の光を発するために、各々の赤色、緑色、青色をパルス幅変調（Ｐｕｌｓｅ  Ｗｉｄｔｈ  Ｍｏｄｕｌａｔｉｏｎ）方式によって個別に制御することができる。すなわち、従来は電圧制御方式及び電流制御方式を使い、特定の色相と明るさの状態を制御する方式だったが、このような従来方式は小さな電圧変動によっても電流の変動が大きくなり、輝度変化を誘発することになるため、ディスプレイ特性を低下させる。また、電流制御方式は、窒化物半導体素子の特性上、効率対比電流が一定でなく、最大効率を有する電流を使う素子を駆動する場合、効率が再び減少する現象が現れる。従って、本発明に係るディスプレイ駆動方法は、電圧や電流を利用して制御する方式ではない、ドライブ回路によってパルス幅変調方式の駆動パルスを各々の画素に印加し、画素ごとに光の三原色である赤色、青色、緑色が発光される時間を制御することにより、前記画素の輝度を制御できる方式である。
【００３４】
図２は、本発明のディスプレイ駆動方法の一実施形態に係るパルス幅変調制御方式を説明するための駆動パルス波形図であり、図３は、本発明のディスプレイ駆動方法を実現するドライブ回路の一実施形態を示したブロック図である。
【００３５】
図２及び図３を参照すると、図２は本発明に係る発光時間制御を説明するための一つの例示であり、７個の画素を４レベルを利用した色で実現するためのパルス幅変調制御を示す。図２のように、各々の画素を４レベルを利用した色で実現するため、リフレッシュ周期（ｒｅｆｒｅｓｈ  ｃｙｃｌｅ、Ｔ１）を４つのレベルに分け、赤色（Ｒ）、緑色（Ｇ）、青色（Ｂ）をパルス幅変調制御を通して各々制御することができる。すなわち、前記画素が発光されるリフレッシュ周期は、複数のレベルから形成されてもよい。ここでｔ＝０はリフレッシュ周期（Ｔ１）の開始を示し、ｔ＝１はリフレッシュ周期（Ｔ１）の終わりを示す。
【００３６】
各々の画素では、赤色（Ｒ）、緑色（Ｇ）、青色（Ｂ）を制御するため、ｔ＝０からｔ＝１までのリフレッシュ周期（Ｔ１）の間は４つのレベルに分かれる。このため、各々のレベルはｔ＝０．２５、０．５、０．７５、１の時間を設ける。すなわち、赤色（Ｒ）、緑色（Ｇ）、青色（Ｂ）各々は、リフレッシュ周期（Ｔ１）の間に最小レベルである１レベル時間（ｔ＝０．２５）から最大レベルである４レベル時間（ｔ＝１）のうちいずれか一つを有することができる。よって画素の輝度は、前記リフレッシュ周期（Ｔ１）内に発光時間に従って発光される、前記赤色（Ｒ）、青色（Ｂ）、緑色（Ｇ）の色組合によって決定できる。
【００３７】
本発明の望ましい一実施形態に係るディスプレイ駆動方法を下に詳細に説明する。
【００３８】
図２のように、画素１ではリフレッシュ周期（Ｔ１）間に、赤色（Ｒ）は４レベル（Ｌ４）を有し、青色（Ｂ）は１レベル（Ｌ１）を有し、緑色（Ｇ）は２レベル（Ｌ２）を有する。すなわち、赤色（Ｒ）はｔ＝１の時間発光し、青色（Ｂ）はｔ＝０．２５の時間発光し、緑色（Ｇ）はｔ＝０．５の時間発光した後、ドライブ回路５１０のロー（Ｌｏｗ）レベルの信号によって消えることになる。従って、画素１では赤色（Ｒ）、青色（Ｂ）、緑色（Ｇ）が各々４、１、２レベル（Ｌ４、Ｌ１、Ｌ２）の時間発光することになり、画素１でリフレッシュ周期（Ｔ１）に発光する光の色は、４レベル（Ｌ４）の赤色（Ｒ）、１レベル（Ｌ１）の青色（Ｂ）及び２レベル（Ｌ２）の緑色（Ｇ）に該当する色の組合せに決定できる。
【００３９】
画素２ではリフレッシュ周期（Ｔ１）間に、赤色（Ｒ）は２レベル（Ｌ２）を有し、青色（Ｂ）は４レベル（Ｌ４）を有し、緑色（Ｇ）は３レベル（Ｌ３）を有する。すなわち、赤色（Ｒ）はｔ＝０．５の時間発光し、青色（Ｂ）はｔ＝１の時間発光し、緑色（Ｇ）はt=０.７５の時間発光後に、ドライブ回路５１０のローレベルの信号によって消えることになる。従って、画素２では赤色（Ｒ）、青色（Ｂ）、緑色（Ｇ）が各々２、４、３レベル（Ｌ２、Ｌ４、Ｌ３）の時間各々発光することになり、画素２でリフレッシュ周期（Ｔ１）に発光する光の色は、２レベル（Ｌ２）の赤色（Ｒ）、４レベル（Ｌ４）の青色（Ｂ）及び３レベル（Ｌ３）の緑色（Ｇ）に該当する色の組合せに決定できる。
【００４０】
画素３ではリフレッシュ周期（Ｔ１）間に、赤色（Ｒ）は１レベル（Ｌ１）を有し、青色（Ｂ）は２レベル（Ｌ２）を有し、緑色（Ｇ）は４レベル（Ｌ４）を有する。すなわち、赤色（Ｒ）はｔ＝０．２５の時間発光し、青色（Ｂ）はｔ＝０．５の時間発光し、緑色（Ｇ）はｔ＝１の時間発光後に、ドライブ回路５１０のローレベルの信号によって消えることになる。従って、画素３では赤色（Ｒ）、青色（Ｂ）、緑色（Ｇ）が各々１、２、４レベル（Ｌ１、Ｌ２、Ｌ４）の時間各々発光することになり、画素３でリフレッシュ周期（Ｔ１）に発光する光の色は、１レベル（Ｌ１）の赤色（Ｒ）、２レベル（Ｌ２）の青色（Ｂ）及び４レベル（Ｌ４）の緑色（Ｇ）に該当する色の組合せに決定できる。
【００４１】
画素４ではリフレッシュ周期（Ｔ１）間に、赤色（Ｒ）と青色（Ｂ）は３レベル（Ｌ３）を有し、緑色（Ｇ）は２レベル（Ｌ２）を有する。すなわち、赤色（Ｒ）と青色（Ｂ）はｔ＝０．７５の時間発光し、緑色（Ｇ）はｔ＝０．５の時間発光後に、ドライブ回路５１０のローレベルの信号によって消えることになる。従って、画素４では赤色（Ｒ）、青色（Ｂ）、緑色（Ｇ）が各々３、３、２レベル（Ｌ３、Ｌ３、Ｌ２）の時間各々発光することになり、画素４でリフレッシュ周期（Ｔ１）に発光する光の色は３レベル（Ｌ３）の赤色（Ｒ）、３レベル（Ｌ３）の青色（Ｂ）及び２レベル（Ｌ２）の緑色（Ｇ）に該当する色の組合せに決定できる。
【００４２】
画素５ではリフレッシュ周期（Ｔ１）間に、赤色（Ｒ）と青色（Ｂ）は２レベル（Ｌ２）を有し、緑色（Ｇ）は３レベル（Ｌ３）を有する。すなわち、赤色（Ｒ）と青色（Ｂ）はｔ＝０．５の時間発光し、緑色（Ｇ）はｔ＝０．７５の時間発光後に、ドライブ回路５１０のローレベルの信号によって消えることになる。従って、画素５では赤色（Ｒ）、青色（Ｂ）、緑色（Ｇ）が各々２、２、３レベル（Ｌ２、Ｌ２、Ｌ３）の時間各々発光することになり、画素５でリフレッシュ周期（Ｔ１）に発光する光の色は、２レベル（Ｌ２）の赤色（Ｒ）、２レベル（Ｌ２）の青色（Ｂ）及び３レベル（Ｌ３）の緑色（Ｇ）に該当する組合せに決定できる。
【００４３】
画素６ではリフレッシュ周期（Ｔ１）間に、赤色（Ｒ）は３レベル（Ｌ３）を有し、青色（Ｂ）は４レベル（Ｌ４）を有し、緑色（Ｇ）は２レベル（Ｌ２）を有する。すなわち、赤色（Ｒ）はｔ＝０．７５の時間発光し、青色（Ｂ）はｔ＝１の時間発光し、緑色（Ｇ）はｔ＝０．５の時間発光後に、ドライブ回路５１０のローレベルの信号によって消えることになる。従って、画素６では赤色（Ｒ）、青色（Ｂ）、緑色（Ｇ）が各々３、４、２レベル（Ｌ３、Ｌ４、Ｌ２）の時間各々発光することになり、画素６でリフレッシュ周期（Ｔ１）に発光する光の色は３レベル（Ｌ３）の赤色（Ｒ）、４レベル（Ｌ４）の青色（Ｂ）及び２レベル（Ｌ２）の緑色（Ｇ）に該当する色の組合せに決定できる。
【００４４】
画素７ではリフレッシュ周期（Ｔ１）間に、赤色（Ｒ）と青色（Ｂ）は１レベル（Ｌ１）を有し、緑色（Ｇ）は２レベル（Ｌ２）を有する。すなわち、赤色（Ｒ）と青色（Ｂ）はt=０.２５の時間発光し、緑色（Ｇ）はｔ＝０．５の時間発光後に、ドライブ回路５１０のローレベルの信号によって消えることになる。従って、画素７では赤色（Ｒ）、青色（Ｂ）、緑色（Ｇ）が各々１、１、２レベル（Ｌ１、Ｌ１、Ｌ２）の時間各々発光することになり、画素７でリフレッシュ周期（Ｔ１）に発光する光の色は１レベル（Ｌ１）の赤色（Ｒ）、１レベル（Ｌ１）の青色（Ｂ）及び２レベル（Ｌ２）の緑色（Ｇ）に該当する色の組合せに決定できる。また、画素７は三色がt=０.５時間内に全部消えるので、他の画素に比べて短い時間だけ発光することになる。
【００４５】
上述のように赤色（Ｒ）、青色（Ｂ）、緑色（Ｇ）を該当レベルにより制御するため、前記ドライブ回路５１０は、最小レベルに該当する時間内にローレベルの信号を各色に印加し、これにより発光時間制御が可能になる。すなわち、前記図２の例示において、ドライブ回路５１０により、１レベル（Ｌ１）では、赤色（Ｒ）の場合は画素３及び７に、青色（Ｂ）の場合は画素１及び７にローレベルの信号を各々印加でき、緑色（Ｇ）の場合は信号を印加しない。２レベル（Ｌ２）では、赤色（Ｒ）の場合は画素２及び５に、青色（Ｂ）の場合は画素３及び５に、緑色（Ｇ）の場合は画素１、４、６及び７にローレベルの信号を各々印加することができる。３レベル（Ｌ３）では赤色（Ｒ）の場合は画素４及び６に、青色（Ｂ）の場合は画素４に、緑色（Ｇ）の場合は画素２及び５にローレベルの信号を各々印加することができる。４レベル（Ｌ４）では赤色（Ｒ）の場合は画素１に、青色（Ｂ）の場合は画素２及び６に、緑色（Ｇ）の場合は画素３にローレベルの信号を各々印加することができる。このようにドライブ回路５１０を利用した赤色（Ｒ）、青色（Ｂ）、緑色（Ｇ）に対する発光時間制御は、図３（ａ）のように三色を同時に制御するために一つのドライブ回路５１０を利用して、または図３（ｂ）のように三色を各々制御するために３つのドライブ回路５１０を利用して行うことができる。
【００４６】
本例示では、７個の画素を利用して４レベル色に対する駆動方法を説明したが、２５６個の画素に対して、２５６の輝度が２５６の発光時間を通じて制御されてもよい。従って、仮に画素が２５６個であれば、ディスプレイのリフレッシュ期間（ｒｅｆｒｅｓｈ  ｐｅｒｉｏｄ）は２５６の時間に分かれて制御されるので、各々の画素は、画素を制御するドライブ回路５１０により、最小画面再生頻度（ｒｅｆｒｅｓｈ  ｒａｔｅ）×２５６Ｈｚの速度でオン／オフ制御されてもよい。
【００４７】
上述したように、本発明に係るディスプレイ駆動方法は、発光ダイオードのディスプレイ駆動方法において、パルス幅変調制御方式を利用し、光の三原色各々が画素により発光される時間を増加または減少させ、各々の画素に対する輝度を制御できる方法を提供する。すなわち、赤色（Ｒ）、青色（Ｂ）、緑色（Ｇ）が発光されるリフレッシュ周期（Ｔ１）を、色が形成されてもよい複数のレベルで分け、各々の色はドライブ回路５１０により印加されるパルス幅変調制御信号により発光後、該当レベルでローレベル信号によって消える。従って、各画素は赤色（Ｒ）、青色（Ｂ）、緑色（Ｇ）が各々発光されている時間による色の組合せにより、望む色を発光させることができる。また、従来の電圧、電流制御方式ではなく、発光時間を利用して各画素の輝度を制御するため、電流変動による輝度変化を防止でき、最高効率に該当する電流でディスプレイを駆動することができ、ディスプレイの効率を最大化することができる効果がある。
【００４８】
一方、本明細書と図面に開示された本発明の実施形態は、理解を助けるために特定例を提示したに過ぎなく、本発明の範囲を限定するものではない。ここに開示された実施形態の他にも、本発明の技術的思想に土台を置いた他の変形例を実施できることは、本発明が属する技術分野において通常の知識を有する者には自明である。
【図１】
2018525685.tif 000003
【図２】
2018525685.tif 000004
【図３】
2018525685.tif 000005
【国際調査報告】
2018525685.tif 000006
2018525685.tif 000007
2018525685.tif 000008
2018525685.tif 000009